(57)【要約】【課題】  電気製品の種々のレイアウトにより柔軟に対応できる配線システムを得る。【解決手段】  配線収容溝３の延設方向に沿ってフロアコンセント装置５の設置位置を変更可能に構成し、配線収容溝３の開口部４のうち該フロアコンセント装置５で塞いだ部分以外の少なくとも一部を塞ぐ溝蓋パネル６を配設した。【選択図】      図２
2006230060.tif 000002
【特許請求の範囲】
【請求項１】
床に設けられた配線収容溝の開口部の一部を塞ぐように設置されたフロアコンセント装置を含む床配線システムであって、
前記配線収容溝の延設方向に沿って前記フロアコンセント装置の設置位置を変更可能に構成し、前記開口部のうち該フロアコンセント装置で塞いだ部分以外の少なくとも一部を塞ぐ溝蓋パネルを配設したことを特徴とする床配線システム。
【請求項２】
前記配線収容溝を室内の床の外縁部に設けたことを特徴とする請求項１に記載の床配線システム。
【請求項３】
前記フロアコンセント装置を設置するための設置機構を、前記配線収容溝の延設方向に沿って所定ピッチで設けたことを特徴とする請求項１または２に記載の床配線システム。
【請求項４】
前記フロアコンセント装置に、床面に対して下方に凹むプラグ収容凹部を形成し、
プラグを差し込むコネクタブロックを、前記プラグ収容凹部に対して配線収容溝の延設方向側に設けたことを特徴とする請求項１〜３のうちいずれか一つに記載の床配線システム。
【請求項５】
前記プラグに繋がる配線を挿通させる挿通孔が形成された前記プラグ収容凹部の蓋部材を設けたことを特徴とする請求項４に記載の床配線システム。
【請求項６】
前記フロアコンセント装置は、前記開口部の両側に架設される架設部材を備え、
前記コネクタブロックを前記架設部材に着脱可能に取り付けたことを特徴とする請求項４または５に記載の床配線システム。
【請求項７】
請求項１〜６のうちいずれか一つに記載の床配線システムで用いられるフロアコンセント装置。
【発明の詳細な説明】
【技術分野】
【０００１】
本発明は、フロアコンセント装置を含む床配線システムに関する。
【背景技術】
【０００２】
従来より、住宅では、電源コンセントや、電話線、ＬＡＮケーブル等のコネクタは、壁内に設置される場合が一般的である（例えば特許文献１参照）。その設置位置は、通常、電気製品のレイアウトや使い勝手を想定して決定される。
【特許文献１】特開平１１−０３２４１７号公報
【発明の開示】
【発明が解決しようとする課題】
【０００３】
ところが、室内における電気製品のレイアウトは、使用者によってさまざまであるため、電源コンセントに繋げるために延長コードを使用せざるを得ないような場合も生じていた。しかし、そのような事態を極力避けるために電源コンセントやコネクタの設置数を増やすと、工事の手間が増えて費用が嵩む上、見栄えも悪くなるという問題があった。
【０００４】
そこで、本発明は、電気製品の種々のレイアウトにより柔軟に対応できる配線システムを得ることを目的とする。
【課題を解決するための手段】
【０００５】
請求項１の発明にあっては、床に設けられた配線収容溝の開口部の一部を塞ぐように設置されたフロアコンセント装置を含む床配線システムであって、上記配線収容溝の延設方向に沿って上記フロアコンセント装置の設置位置を変更可能に構成し、上記開口部のうち該フロアコンセント装置で塞いだ部分以外の少なくとも一部を塞ぐ溝蓋パネルを配設したことを特徴とする。
【０００６】
請求項２の発明にあっては、上記配線収容溝を室内の床の外縁部に設けたことを特徴とする。
【０００７】
請求項３の発明にあっては、上記フロアコンセント装置を設置するための設置機構を、上記配線収容溝の延設方向に沿って所定ピッチで設けたことを特徴とする。
【０００８】
請求項４の発明にあっては、上記フロアコンセント装置に、床面に対して下方に凹むプラグ収容凹部を形成し、プラグを差し込むコネクタブロックを、上記プラグ収容凹部に対して配線収容溝の延設方向側に設けたことを特徴とする。
【０００９】
請求項５の発明にあっては、上記プラグに繋がる配線を挿通させる挿通孔が形成された上記プラグ収容凹部の蓋部材を設けたことを特徴とする。
【００１０】
請求項６の発明にあっては、上記フロアコンセント装置は、上記開口部の両側に架設される架設部材を備え、上記コネクタブロックを上記架設部材に着脱可能に取り付けたことを特徴とする。
【発明の効果】
【００１１】
請求項１の発明によれば、配線収容溝に沿ってフロアコンセント装置の設置位置を変更して、電気製品の種々のレイアウト設定により柔軟に対応することができ、また、模様替え等で電気製品のレイアウトを変更する場合にもより容易に対応することができる。さらに、従来のように壁に固定的に設置した場合に比べて、工事の手間が減り、施工コストを低減できるという利点もある。
【００１２】
請求項２の発明によれば、床を、配線収容溝の内側のより広い一連の領域として確保することができるため、フローリングその他の床の工事を配線の施工工事とは別に行うことができ、工程の設定や変更をより容易に行うことができるようになる。また、電気製品は室内の床の外縁部に配置される場合が多いため、配線が床面上で配索されて露出する長さを短くすることができるという利点もある。
【００１３】
請求項３の発明によれば、設置機構によってフロアコンセント装置をより確実に設置できるようになる上、設置位置の柔軟性を十分に確保しながら、任意の位置に設置できるようにする場合に比べて設置機構の製造コストを低減することができる。
【００１４】
請求項４の発明によれば、コネクタブロックの収容場所として配線収容溝を利用することができるため、別途床側や壁側等に収容場所を設ける必要が無い分、装置構成をより小型化して、製造コストも低減することができる。
【００１５】
請求項５の発明によれば、プラグがコネクタブロックに差し込まれる部分を蓋部材の裏側に隠して、美観の向上を図ることができる。
【００１６】
請求項６の発明によれば、フロアコンセント装置を所期の位置に設置または配置したままコネクタブロックの着脱を行うことができ、施工やメンテナンス等をより容易に行うことができる。
【発明を実施するための最良の形態】
【００１７】
以下、本発明の実施形態について図面を参照しながら詳細に説明する。
【００１８】
（第１実施形態）図１は、本実施形態にかかる床配線システムを装備した室内の概観図、図２は、床配線システムの分解斜視図、図３は、床配線システムにおいてフロアコンセント装置の設置位置を変更する様子を示す断面図（配線収容溝の延設方向に沿う断面の図）、図４は、フロアコンセント装置の分解断面図、図５は、フロアコンセント装置の断面図（配線収容溝の延設方向に沿う断面の図）、図６は、フロアコンセント装置の断面図（配線収容溝の延設方向に直交する断面の図）である。
【００１９】
室内１の床２には、配線収容溝３が設けられており、この配線収容溝３の開口部４を塞ぐように、フロアコンセント装置５と溝蓋パネル６とが取り付けられている。本実施形態では、配線収容溝３は、室内１の床２の外縁部（図１の場合は隣室（図示せず）や壁７との境目）に設けられている。これにより、配線収容溝３をより内側に設けた場合に比べて、床２を、より広い一連の領域として確保することができる。なお、図１では、配線収容溝３を室内１の床２の三つの外縁に設けているが、床２の周縁全域に亘って設けてもよいし、一部のみに設けてもよい。
【００２０】
フロアコンセント装置５の上方には、蓋部材８が設けられており、この蓋部材８に形成された挿通孔９から、フロアコンセント装置５のコネクタ１０に締結されたプラグ１１に繋がるケーブル（コード）１２が床２上に引き出される。なお、溝蓋パネル６および蓋部材８の表面は、装着した状態で、床２の表面と段差を生じることなく連接されるようにするのが好適である。
【００２１】
ここで、蓋部材８の挿通孔９には、さらに、回転自在な回転蓋４３を取り付け、挿通孔９の開口面積を小さくするとともに、挿通孔９の開口位置を電機製品のレイアウト等に合わせて可変設定できるようにするのが好適である。具体的には、蓋部材８に円形の貫通孔を形成する一方、回転蓋４３を円板の一部を切り欠いた天板部４４を有する形状として、その切欠部を挿通孔９として用いている。なお、このとき、回転蓋４３は、天板部４４の裏面に立設した爪部４５によって、蓋部材８の裏面に係止すればよい。さらに、この場合、適宜、形状の異なる回転蓋４３を選択的に装着してもよい。
【００２２】
配線収容溝３の開口部４の両側縁には肩部１３が設けられており、この一対の肩部１３間に、フロアコンセント装置５のフランジ部１４を架け渡す。そして、取付ネジ１６を、フランジ部１４に形成された貫通孔１７に挿通させ、肩部１３に設けたネジ孔１５に螺結することで、フロアコンセント装置５を着脱可能に取り付ける。このネジ孔１５が本発明の設置機構に相当する。
【００２３】
そして、このネジ孔１５は、配線収容溝３の延設方向に沿って、一定のピッチ（間隔；例えば２０ｃｍ）で複数箇所に設けられている。したがって、図３の（ａ）および（ｂ）に示すように、フロアコンセント装置５を当該配線収容溝３の延設方向に沿った複数箇所に設置することができる。このとき、溝蓋パネル６を嵌め込む位置をずらしたり、溝蓋パネル６を切断して長さを短くしたりして、配線収容溝３の開口部４のうちフロアコンセント装置５で塞がれない区間のほぼ全域を当該溝蓋パネル６で覆うようにするのが好適である。また、コネクタ１０に接続する床下配線１８の長さを長めにしておき、フロアコンセント装置５を配線収容溝３の延設方向に沿ってずらしても、床下配線１８の長さが不足しないようにしておくのが好適である。
【００２４】
フロアコンセント装置５は、フレーム１９に、コネクタ１０ａ，１０ｂ（１０）を備えたコネクタブロック２０ａ，２０ｂ（２０）と、コ字状プレート２１とを、ネジ２２を用いて螺結し、一体化したものである。
【００２５】
フレーム１９は、平面視で略矩形の枠状の板材（例えば金属板）であって、その中央には、略矩形の貫通孔２３が形成されている。すなわち、このフレーム１９には、貫通孔２３の周囲に所定幅の四つの縁が形成されることになるが、そのうち、相互に対向する一対の縁２４，２４が、配線収容溝３の肩部１３に載置されるフランジ部１４，１４となる。すなわち、このフレーム１９が、本発明の架設部材に相当する。また、この縁２４，２４の貫通孔２３の孔縁側には、ネジ孔２５が形成されており、このネジ孔２５にネジ２２を用いてコ字状プレート２１が螺結される。そして、他の一対の縁２６，２６には、ネジ孔２７が形成されており、このネジ孔２７にネジ２２を用いてコネクタブロック２０ａ，２０ｂが螺結される。
【００２６】
コネクタブロック２０は、ベースプレート２８にコネクタ１０等を取り付けて一体化したものである。ベースプレート２８は、側面視で略Ｌ字状に折り曲げてなる板材（例えば金属板）であって、側壁部２９と、側壁部２９の下端から水平方向外側に伸びる底壁部３０と、側壁部２９の上端から水平方向外側に一定幅で張り出すフランジ部３１と、を備える。側壁部２９には二つの貫通孔３２が形成されており、コネクタ１０の一部をこの貫通孔３２に挿通させ、挿通させた部分の端面３３ならびに当該端面３３に形成された差込口３４を底壁部３０が伸びる方向の反対側に露出させた状態で、コネクタ１０をベースプレート２８（側壁部２９）に固定する。そして、側壁部２９をフレーム１９の貫通孔２３に上または下から挿通させ、フランジ部３１の下面をフレーム１９の縁２６の上面に当接させて、フランジ部３１を貫通孔２３の中心側から縁２６に係合させる。この状態で、コネクタブロック２０をフレーム１９にネジ２２を用いて着脱可能に固定する。かかる構成により、コネクタ１０の大半は、側壁部２９、底壁部３０、およびフランジ部３１で囲まれることになり、コネクタ１０やそれに繋がる床下配線１８の保護性を高めることができる。
【００２７】
コ字状プレート２１は、底壁部３５と、該底壁部３５の両端部で立設される一対の側壁部３６と、側壁部３６の上端から水平方向外側に一定幅で張り出すフランジ部３７とを備える。そして、側壁部３６，３６をフレーム１９の貫通孔２３に上または下から挿通させ、フランジ部３７，３７の下面をフレーム１９の縁２４，２４の上面に当接させて、フランジ部３７，３７を貫通孔２３の中心側から縁２４，２４に係合させる。この状態で、コネクタブロック２０をフレーム１９にネジ２２を用いて着脱可能に固定する。なお、本実施形態では、フレーム１９に対するコネクタブロック２０の着脱は、このコ字状プレート２１を取り外した状態で行う必要がある。
【００２８】
そして、フレーム１９に、二つのコネクタブロック２０およびコ字状プレート２１が取り付けられると、コ字状プレート２１の底壁部３５、側壁部３６，３６、およびコネクタブロック２０ａ，２０ｂの側壁部２９，２９によって囲まれたプラグ収容凹部３８が形成される。このプラグ収容凹部３８は、フロアコンセント装置５を設置した状態では、床面より下の位置で下方に凹むことになる。また、このとき、コネクタブロック２０は、このプラグ収容凹部３８に対して、配線収容溝３の延設方向側に位置することになる一方、蓋部材８および回転蓋４３は、プラグ収容凹部３８を被覆することになる。
【００２９】
また、本実施形態では、電源コンセントとして機能する強電用のコネクタ１０ａを備えた強電用コネクタブロック２０ａと、電話線やＬＡＮケーブル用のコネクタ１０ｂを備えた弱電用コネクタブロック２０ｂの二つのコネクタブロック２０を、プラグ収容凹部３８を挟んで相互に対向配置させ、強電系と弱電系の相互干渉を抑制している。さらに、配線収容溝３の底部に、強電用の配索路３９と弱電用の配索路４０とを区画して形成し、かかる構成によっても強電系と弱電系の相互干渉を抑制している。なお、これら配索路３９，４０は、例えば、配線収容溝３の底部に、上方を開放した断面略Ｅ字状の長尺部材４１を挿入し、その開放部を帯状のプレート４２で塞ぐことで形成することができる。
【００３０】
以上の本実施形態によれば、配線収容溝３に沿ってフロアコンセント装置５の設置位置を変更して、電気製品の種々のレイアウトにより柔軟に対応することができ、また、模様替え等で電気製品の配置を変更する場合にもより容易に対応できるようになる。さらに、従来のように壁に固定的に設置した場合に比べて、工事の手間が少なくなり、施工コストを低減することができるという利点もある。
【００３１】
また、本実施形態によれば、配線収容溝３を、室内１の床２の外縁部に設けたため、床２をより広い一連の領域として確保することができ、フローリングその他の床の工事を配線の施工工事とは別に行うことができる上、工程の設定や変更をより容易に行うことができるようになる。また、電気製品は室内１の床２の外縁部に配置される場合が多いため、配線が床面上で配索されて露出する長さを短くすることができるという利点もある。
【００３２】
また、本実施形態によれば、設置機構としてのネジ孔１５を、配線収容溝３の延設方向に沿って所定ピッチで設けたため、フロアコンセント装置５をより確実に設置できるようになる上、設置位置の柔軟性を十分に確保しながら、任意の位置に設置できるようにする場合に比べて設置機構の製造コストを低減することができる。
【００３３】
また、本実施形態によれば、コネクタブロック２０を、プラグ収容凹部３８に対して配線収容溝３の延設方向側に設けたため、コネクタブロック２０の収容場所として配線収容溝３を利用することができ、別途床側や壁側等に収容場所を設ける必要が無い分、装置構成をより小型化して、製造コストも低減することができる。
【００３４】
また、本実施形態によれば、プラグ１１に繋がるケーブル１２を挿通させる挿通孔９が形成されたプラグ収容凹部３８の蓋部材８を設けたため、当該プラグ１１がコネクタブロック２０に差し込まれる部分を蓋部材８の裏側に隠して、美観の向上を図ることができる。
【００３５】
また、本実施形態によれば、コネクタブロック２０を、配線収容溝３の開口部４の両側に架設したフレーム１９に着脱可能に取り付けたため、フロアコンセント装置５を、所期の位置に設置または配置したままコネクタブロック２０の着脱を行うことができ、施工やメンテナンス等をより容易に行うことができるという利点がある。
【００３６】
（第２実施形態）図７は、本実施形態にかかる床配線システムで用いられるフロアコンセント装置の断面図（配線収容溝の延設方向に沿う断面の図）、図８は、本実施形態にかかる床配線システムで用いられる化粧カバーの斜視図である。なお、本実施形態にかかる床配線システムは、上記第１実施形態にかかる床配線システムと同様の構成要素を備えている。よって、それら同様の構成要素には同じ符号を付し、重複する説明を省略する。
【００３７】
本実施形態にかかるフロアコンセント装置５Ａは、コ字状プレート２１に替えて例えば樹脂からなる化粧カバー５０を備えたものである。この化粧カバー５０は、平面視で略矩形枠状のフランジ部５１、配線収容溝３の幅方向に対向する側壁部５２、コネクタ１０用の貫通孔５５を有して配線収容溝３の延設方向に対向する側壁部５３、および底壁部５４を備えており、側壁部５２，５３および底壁部５４によって囲まれた空間として、プラグ収容凹部３８を形成している。
【００３８】
かかる構成によっても、上記第１実施形態と同様の効果を得ることができる。そして、本実施形態によれば、プラグ収容凹部３８の内壁面およびフレーム１９の上面を一体的にに被覆することができるため、美観の向上を図ることができる。なお、化粧カバー５０は、必ずしもフレーム１９に固定する必要はない。
【００３９】
以上、本発明の好適な実施形態について説明したが、本発明は上記実施形態には限定されず、種々の変形が可能である。例えば、上記実施形態では、強電系のコネクタブロックと弱電系のコネクタブロックとの双方を含むフロアコンセント装置について例示したが、いずれか一方のみを含むものとしても、本発明を実施することができる。
【００４０】
また、配線収容溝内に、床下配線の中継装置（ジョイントボックス）を延設方向に沿った複数箇所に設けておき、フロアコンセント装置の設置位置に合わせて、当該フロアコンセント装置をそれに近い中継装置に接続するようにしてもよい。
【００４１】
また、配線収容溝から、室内の床下（配線収容溝の内側領域）に向けて配線を伸ばし、当該内側領域に設けたフロアコンセント装置等に接続してもよい。この場合、配線収容溝の側壁に、予め穴を設けておいたり、あるいは指や工具等で穴を形成できるような形状を設けておいたりしてもよい。
【００４２】
さらに、プラグに繋がるケーブル（コード）の余長部分を配線収容溝内に収納するようにしてもよいし、その収納部を形成する凹状部材を配線収容溝の開口部を塞ぐように取り付けてもよい。
【図面の簡単な説明】
【００４３】
【図１】本発明の実施形態にかかる床配線システムを装備した室内の概観図。
【図２】本発明の第１実施形態にかかる床配線システムの分解斜視図。
【図３】本発明の第１実施形態にかかる床配線システムにおいてフロアコンセント装置の設置位置を変更する様子を示す断面図（配線収容溝の延設方向に沿う断面の図）。
【図４】本発明の第１実施形態にかかる床配線システムで用いられるフロアコンセント装置の分解断面図。
【図５】本発明の第１実施形態にかかる床配線システムで用いられるフロアコンセント装置の断面図（配線収容溝の延設方向に沿う断面の図）。
【図６】本発明の第１実施形態にかかる床配線システムで用いられるフロアコンセント装置の断面図（配線収容溝の延設方向に直交する断面の図）。
【図７】本発明の第２実施形態にかかる床配線システムで用いられるフロアコンセント装置の断面図（配線収容溝の延設方向に沿う断面の図）。
【図８】本発明の第２実施形態にかかる床配線システムで用いられる化粧カバーの斜視図。
【符号の説明】
【００４４】
１  室内
２  床
３  配線収容溝
４  開口部
５，５Ａ  フロアコンセント装置
６  溝蓋パネル
８  蓋部材
９  挿通孔
１１  プラグ
１２  ケーブル（配線）
１５  ネジ孔（設置機構）
１９  フレーム（架設部材）
２０  コネクタブロック
３８  プラグ収容凹部
【図１】
2006230060.tif 000003
【図２】
2006230060.tif 000004
【図３】
2006230060.tif 000005
【図４】
2006230060.tif 000006
【図５】
2006230060.tif 000007
【図６】
2006230060.tif 000008
【図７】
2006230060.tif 000009
【図８】
2006230060.tif 000010